(57)【要約】  標準解像度ＤＶＤ上で高解像度ビデオを記録及び再生するシステム及び方法である。記録システムは、ＳＤビデオ形式にＨＤビデオをスケールダウンするシステム、ＳＤビデオをエンコードするシステム、ＨＤビデオからエンハンスメント情報を抽出するシステム、並びにＳＤビデオ及び抽出されたエンハンスメント情報をＳＤ互換性媒体に記憶するシステムを具備する。再生システムは、標準解像度ＳＤ形式記録からＨＤビデオ形式を再生するために、記録からＳＤデータを抽出してデコードするシステム、記録からエンハンスト情報を抽出するシステム、デコードされたＳＤデータをデインターレースするシステム、及びＨＤビデオイメージを生成するために、デコードされたＳＤデータをエンハンスメント情報でスケールアップし、後処理するシステムを具備する。
2005514840.tif 000002
【特許請求の範囲】
【請求項１】
高解像度（ＨＤ）ビデオを標準解像度（ＳＤ）互換性媒体上に記録するための記録システムであって、
前記ＨＤビデオをＳＤビデオ形式にスケールダウンするためのシステム、
前記ＳＤビデオをエンコードするためのシステム、
前記ＨＤビデオからエンハンスメント情報を抽出するためのシステム、並びに
前記ＳＤビデオ及び前記抽出されたエンハンスメント情報を、前記ＳＤ互換性媒体に記憶するシステム、
を有する記録システム。
【請求項２】
前記ＳＤ互換性媒体がＤＶＤを含む、請求項１に記載の記録システム。
【請求項３】
前記エンコードするためのシステムがＭＰＥＧ−２エンコーダを有する、請求項１に記載の記録システム。
【請求項４】
前記エンハンスメント情報が、異なるエネルギ領域に区切られた高周波イメージデータを有する、請求項１に記載の記録システム。
【請求項５】
前記エンハンスメント情報が、フィーチャ処理システムによってエネルギ領域マップに記憶される、請求項４に記載の記録システム。
【請求項６】
四分木分解アルゴリズムを使用して、前記エネルギ領域マップがエネルギ領域マップにコード化される、請求項５に記載の記録システム。
【請求項７】
前記ＳＤビデオ及び前記エンハンスメント情報が約５メガビット／秒の結合されたレートで記憶される、請求項１に記載の記録システム。
【請求項８】
前記抽出されたエンハンスメント情報が１メガビット／秒未満のレートで記憶される、請求項１に記載の記録システム。
【請求項９】
ワイドスクリーン、レターボックス、並びにスキャン及びパン形式のために前記ＳＤビデオをフォーマットするアスペクト比フォーマットシステムを更に含む、請求項１に記載の記録システム。
【請求項１０】
プログレッシブ及びインターレースから成るグループから選択された形式で、前記ＳＤビデオを記憶することができる、請求項１に記載の記録システム。
【請求項１１】
前記エンハンスメント情報がＭＰＥＧユーザデータフィールドに記憶される請求項１に記載の記録システム。
【請求項１２】
標準解像度（ＳＤ）形式記録から高解像度（ＨＤ）ビデオイメージ形式を再生するための再生システムであって、
前記記録からＳＤデータを抽出し、デコードするためのシステム、
前記記録からエンハンスメント情報を抽出するためのシステム、
前記デコードされたＳＤデータをデインターレースするためのシステム、
前記ＨＤビデオイメージを生成するために、前記デコードされたＳＤデータを前記エンハンスメントデータでアップスケール及び後処理するためのシステム、
を有する再生システム。
【請求項１３】
前記エンハンスメント情報が、記録過程の間に抽出された高周波イメージデータに関する情報を有する、請求項１２に記載の再生システム。
【請求項１４】
前記エンハンスメント情報がエネルギ領域マップを有する、請求項１３に記載の再生システム。
【請求項１５】
前記エネルギ領域マップが四分木分解アルゴリズムでコード化されている、請求項１４に記載の再生システム。
【請求項１６】
前記後処理システムが、前記エンハンスメント情報から得られたゲインマップによって、適応型ピーキングを適用する、請求項１４に記載の再生システム。
【請求項１７】
前記後処理システムが前記エンハンスメント情報から得られたゲインマップで輝度過渡改良を適用する、請求項１４に記載の再生システム。
【請求項１８】
高解像度（ＨＤ）ビデオを標準解像度（ＳＤ）互換性媒体に記録するための方法であって、
前記ＨＤビデオをＳＤビデオ形式にスケールダウンするステップ、
前記ＳＤビデオをエンコードするステップ、
前記ＨＤビデオからエンハンスメント情報を生成するステップ、並びに
前記ＳＤビデオ及び前記エンハンスメント情報を前記ＳＤ互換性媒体に記憶するステップ、
を有する方法。
【請求項１９】
前記エンハンスメント情報を生成するステップが、
前記ＨＤビデオから高周波イメージデータを抽出する、及び
四分木アルゴリズムを使用して、前記高周波イメージデータに基づきエネルギ領域マップを形成するステップ、
を含む、請求項１８に記載の方法。
【請求項２０】
前記エンハンスメント情報がＭＰＥＧユーザデータフィールドに記憶される、請求項１８に記載の方法。
【請求項２１】
標準解像度（ＳＤ）形式記録から高解像度（ＨＤ）ビデオイメージを再生するための方法であって、
前記記録からＳＤデータを抽出及びデコードするステップ、
前記記録からエンハンスメント情報を抽出するステップ、
前記デコードされたＳＤデータをデインターレースするステップ、並びに
前記ＨＤビデオイメージを生成するために、前記エンハンスメント情報で前記デコードされたＳＤデータをアップスケールし、後処理するステップ、
を有する方法。
【請求項２２】
前記エンハンスメント情報がＭＰＥＧユーザデータフィールドに記憶され、四分木分解アルゴリズムでコード化されたエネルギ領域マップを有する、請求項２１に記載の方法。
【請求項２３】
前記デコードされたＳＤデータが、前記エンハンスメント情報から得られたゲインマップを用いて適応型ピーキングを適用することによって後処理される、請求項２２に記載の方法。
【請求項２４】
前記エンハンスメント情報から得られたゲインマップを用いて輝度過渡改良を適用することで、前記デコードされたＳＤデータが後処理される、請求項２２に記載の方法。
【請求項２５】
高解像度（ＨＤ）ビデオを標準解像度（ＳＤ）ＤＶＤに記録するために、記録可能化媒体に記憶されたプログラムであって、
前記ＨＤビデオをＳＤ形式ビデオにスケールダウンする手段、
前記ＳＤビデオをエンコードする手段、
前記ＨＤビデオから、エンハンスメント情報を生成するための手段であって、前記エンハンスメント情報が高周波イメージデータを有する手段、並びに
前記ＳＤ形式ビデオ及び前記エンハンスメント情報を前記ＤＶＤに記憶する手段、
を有するプログラム。
【請求項２６】
標準解像度（ＳＤ）ＤＶＤから、高解像度（ＨＤ）ビデオイメージを再生するために、記録可能化媒体に記憶されたプログラムであって、
前記ＤＶＤからＳＤデータを抽出及びデコードするための手段、
前記ＤＶＤからエンハンスメント情報を抽出するための手段であって、前記エンハンスメント情報がＭＰＥＧユーザデータフィールドに記憶されると共に高周波イメージデータを有する手段、
前記デコードしたＳＤデータをデインターレースするための手段、並びに
前記ＨＤビデオイメージを生成するために、前記エンハンスメント情報を用いて前記デコードされたＳＤデータをアップスケール及び後処理するための手段、
を有するプログラム。
【請求項２７】
前記後処理手段が、前記エンハンスメント情報から得られたゲインマップを用いて、適応型ピーキング及び輝度過渡改良から成る群の１つを適応する、請求項２６に記載のプログラム。
【発明の詳細な説明】
【技術分野】
【０００１】
本発明は、一般には、デジタルイメージデータを記録及び再生するためのシステムに関し、特には標準解像度互換性ＤＶＤが標準又は高解像度モードのいずれかで再生されることができるように、前記標準解像度互換性ＤＶＤに高解像度マテリアルを記録するシステム及び方法に特に関する。
【背景技術】
【０００２】
ＤＶＤ（デジタル多用途ディスク）プレーヤがビデオ再生、最終的にはビデオ記録用に選ばれる媒体になるにつれ、高性能フィーチャを持つＤＶＤシステムへの需要は伸びることが期待されている。例えば、フィリップス  エレクトロニクスを含む数々の企業は、最近、ＤＶＤレコーダを市場に出した。将来、ＤＶＤレコーダがますます大衆的となるにつれて、テレビ番組等をＤＶＤ上に記録することは、より簡単に、且つ、より手頃なものになるであろう。
【０００３】
しかしながら、これから充分に対処されるべき問題の一つは、増加していえる高解像度（ＨＤ）マテリアルの大衆性に関するものである。現在、標準解像度（ＳＤ）、即ち、４．７ＧＢで片面のＤＶＤを、高解像度（ＨＤ）のマテリアル（ここでがＨＤ−オン−ＳＤ−ＤＶＤと称する）を記録及び再生することに使うためのフォーマットが設定されていない。Ａｄｖａｎｃｅ  Ｔｅｌｅｖｉｓｉｏｎ  Ｓｙｓｔｅｍｓ  Ｃｏｍｍｉｔｔｅｅ（ＡＴＳＣ）が、高解像度放送が米国のテレビチャンネルの標準規格になるように規定した年である２００６年が近づくにつれ、本問題はより重要になっていくばかりである。
【発明の開示】
【発明が解決しようとする課題】
【０００４】
上記に基づけば、ＨＤビデオを標準、即ちＳＤ−ＤＶＤ形式で記録することが見られ、それがＤＶＤレコーダの重要なオプションになり、これが消費者電子機器、半導体、及び映画産業にとっての新しい市場を開くことが理解されるであろう。更に、ＨＤ−オン−ＳＤ−ＤＶＤを供給する技術は、ＨＤ−ＤＶＤレコーダ、又はハードディスク型のレコーダのような、ロングプレイモード記録をサポートしている、他の応用及び媒体に役立つものになるであろう。
【０００５】
従って、ＳＤ−ＤＶＤのようなＳＤ互換性媒体上にＨＤマテリアルを供給するシステムの必要性が存在する。
【０００６】
本発明は、記録する間にオリジナルのＨＤイメージから抽出されたエンハンスメント情報を使うことにより、上方変換されたＳＤイメージにＨＤ感を付与するＨＤ記録及び再生システムを提供するためのシステム及び方法を提供することにより、他の問題、及び上述の問題に対処する。
【課題を解決するための手段】
【０００７】
第一の見地では、本発明は標準解像度互換性媒体に高解像度ビデオを記録するための記録システムであって、ＨＤビデオをＳＤビデオ形式にスケールダウンするシステム、ＳＤビデオをエンコードするシステム、ＨＤビデオからエンハンスメント情報を抽出するシステム、並びにＳＤビデオ及び抽出されたエンハンスメント情報をＳＤ互換性媒体に記憶するシステムを供給する。
【０００８】
第二の見地では、本発明は標準解像度形式の記録から高解像度ビデオを再構成するための再生システムであって、記録からＳＤデータを抽出してデコードするシステム、記録からエンハンスメント情報を抽出するシステム、デコードされたＳＤデータをデインターレースするシステム、及びＨＤビデオイメージを生成するために、デコードされたＳＤデータを、エンハンスメント情報を用いてスケールアップ及び後処理するシステムを有するシステムを供給する。
【０００９】
第三の見地では、本発明は高解像度（ＨＤ）ビデオを標準解像度互換性媒体に記録する方法であって、ＨＤビデオをＳＤビデオ形式にスケールダウンするステップ、ＳＤビデオをエンコードするステップ、ＨＤビデオからエンハンスメント情報を生成するステップ、並びにＳＤビデオ及びエンハンスメント情報をＳＤ互換性媒体に記憶するステップを有する方法を供給する。
【００１０】
第四の見地では、本発明は標準解像度形式の記録から高解像度ビデオイメージを再構成する方法であって、記録からＳＤデータを抽出してデコードするステップ、記録からエンハンスメント情報を抽出するステップ、デコードされたＳＤデータをデインターレースするステップ、及びＨＤビデオイメージを生成するためにエンハンスメント情報でＳＤデータをスケールアップし、後処理するステップを有する方法を供給する。
【００１１】
第五の見地では、本発明は標準解像度ＤＶＤに高解像度ビデオを記録するために、記録可能化媒体に記憶されたプログラムであって、ＨＤビデオをＳＤ形式ビデオにスケールダウンする手段、ＳＤビデオをエンコードする手段、高周波イメージデータを有するエンハンスメント情報をＨＤビデオから生成する手段、及びＳＤ形式ビデオ及びエンハンスメントデータをＤＶＤに記憶するための手段を有するプログラムを提供する。
【００１２】
第六の見地では、本発明は標準解像度ＤＶＤから高解像度ビデオイメージを再構成するために記録可能化媒体に記憶された製品であって、前記ＤＶＤからＳＤデータを抽出及びデコードするための手段、ＭＰＥＧユーザデータフィールドに記憶され、高周波のイメージデータを有するエンハンスメント情報を前記ＤＶＤから抽出する手段、ＳＤデータをデインターレースする手段、ＨＤビデオイメージを生成するためにＳＤデータをエンハンスメント情報でスケールアップし、後処理する手段を有する製品を提供する。
【００１３】
本発明のこれら及び他のフィーチャは、添付する図面と関連した本発明の様々な見地についての以下の詳細な説明から、より容易に理解されるであろう。
【００１４】
本発明は、ＨＤマテリアルをＳＤ互換性ＤＶＤ（ＳＤ−ＤＶＤ）に記録することができるビデオ処理システム及び方法を提供し、前記ＤＶＤが、通常ＤＶＤプレーヤにおいては通常のＳＤを鑑賞するように、又はＨＤが使用可能化プレーヤにおいてはＨＤ鑑賞用に再生できるというようにする。如何なるタイプの書き込み又は再書き込み可能なＤＶＤ（例えば、ＤＶＤ−Ｒ、−ＲＷ、＋ＲＷ、−ＲＡＭ）も利用され得る。本明細書中に記述された技術を使えば、当該システムは、４．７ＧＢのＤＶＤに二時間のＨＤに「近い」品質のビデオ、又は９ＧＢのＤＶＤに四時間のＨＤに近いビデオを記録することができる。以下に、更に詳細に説明されるように、記録する間に当該システムは：（１）入力されたＨＤ信号をＳＤ信号に変換し、（２）ＨＤ信号からエンハンスメント情報を生成する。更に本システムは、ＳＤ信号を、例えばＭＰＥＧ−２エンコーダを使用してエンコードし、例えばＭＰＥＧビットストリームのユーザデータフィールドに、エンハンスメント情報を記憶する。
【発明を実施するための最良の形態】
【００１５】
本明細書に記述されている模範的な実施例は、エッジ及びテクスチャの情報のような、比較的少量の重要なＨＤイメージのフィーチャを捉えるエンハンスメント情報のみを利用する。このようにして、低いビットレートをエンハンスメント情報（即ち、０．５メガバイト（ＭＢ）／秒）に使うことができ、ＳＤ信号及びエンハンスメント情報は約５ＭＢ／秒に保つことができる。ＭＰＥＧ−２層、又はスケーラブルなコーディングのような、先の方法は、妥当な品質でのこのような低いビットレートを保持することができなかった。
【００１６】
再生の間、前記記録されたＤＶＤは現在のＤＶＤの基準に対して完全に互換性があるばかりでなく、前記ＤＶＤは上記エンハンスメント情報を用いてＤＶＤ品質ビデオを生成するようなＨＤ可能化されたＤＶＤプレーヤにおいて再生することもできる。本明細書の図１及び２で与えられている実施例はＳＤ形式のアウトプット２４をＤＶＤとして記述しているが、どのような記録可能化媒体も利用され得ることは理解されるべきであることを注意してほしい。
【００１７】
さて、図１を参照すると、本発明による模範的な記録システム１０が示されている。システム１０はＨＤインプット信号１１を受け取り、ＳＤ形式のアウトプット信号２４を生成する。当該システムのインプットは、ビットストリーム形態、又はコンポーネント信号形態（ビットストリーム形態ではＨＤ  ＭＰＥＧ−２デコーダが必要とされる）のいずれかで全てのＡＴＳＣ形式を受け入れることができる。しかしながら、説明の目的のために、システム１０は１０８０ｉ（インターレース）及び７２０ｐ（プログレッシブ）形式を受け入れているように示されている。従って、模範的なシステムは、両方とも現行のＳＤ基準と互換性のある二つの異なる形式、即ちプログレッシブ及びインターレースされた形式での処理をすることができる。プログレッシブ形式は３０ｐ又は６０ｉのプログ（レッシブ）（フィルムモードに似ている）として示されており、これらは「プログ／インターレース変換器」ブロック１６の後にあるフロー矢印の上の部分に示されている。６０ｉプログがインターレースされた形式として扱われることを除いては、６０ｉプログは構造的に３０ｐと同じであることに注意して欲しい。３０ｐを６０ｉプログレッシブ形式に変換する理由は、（再）書き込み可能なＤＶＤをサポートしている全てのＤＶＤプレーヤについて、記録されたＤＶＤの互換性を保証するためである。インターレースされた形式は６０ｉとして示され、６０ｉはフロー矢印の下の部分にある。
【００１８】
記録システム１０の基本的な動作は次に示される通りである。インプット画像（即ち、ビデオ）はＳＤ画像にスケールダウンされて、幾つかの重要なＨＤフィーチャ又はＨＤのエンハンスメントデータ（ここではＥデータと称する）はインプットから抽出される。次にＭＰＥＧ−２エンコーダはＳＤシーケンスをエンコードし、ＭＰＥＧ−２ビットストリームは記憶領域（例えばＤＶＤ＋ＲＷ）にＥデータと共に保存される。ＥデータはＭＰＥＧビットストリームのユーザデータフィールドに記憶されることができる。
【００１９】
システム１０はインプット信号１１を３０ｐ又は６０ｉ形式にデインターレース又はサブサンプルする、デインターレーサ／レートサブサンプルシステム１２を有す。更に、下方変換／アスペクト比（ＡＲ）形式化システム１４は、ワイドスクリーン、レターボックス、又は拡張（パン及びスキャン）アスペクト比形式の信号をフォーマットする。プログレッシブ／インターレースへの変換器１６は、３０ｐから６０ｉプログへの２−２のプルダウンを実行、又は６０ｐから６０ｉへ変換するインターレースを実行する。次に、ＭＰＥＧエンコーダ１８は当該信号をＮＴＳＣ又はＰＡＬ互換形式にエンコードする。
【００２０】
更に、インプット信号がデインターレースされ／サブサンプルされた後、該信号は信号から高周波のイメージデータを抽出するＨＤの詳細抽出システムへと更に供給される。該抽出は、例えばハイパスフィルタ又は残留オペレータを用いて達成することができる。次いで、高周波のイメージデータは、ＨＤのエンハンスメント情報、即ちＥデータを生成するためにＨＤフィーチャ処理システム２２に供給される。次いで、ＥデータはＳＤ形式アウトプット２４と共に、例えば、ＭＰＥＧエンコードデータのユーザデータフィールドに記憶される。
【００２１】
本発明の目的として、生成及び使用されるＥデータのタイプに対しては制限が無いと理解されるべきである。しかしながら、重要なエッジ及びテクスチャの詳細を与える高周波イメージ（ＨＦＩ）データはＨＤイメージを生成することにおいて重要であると認識される。不運にも、これらの領域をビットずつエンコードすることは、合計ビットレートをかなり増加させるが、この合計ビットレートは、例えば、４．７ＧＢのＤＶＤに２時間のビデオを記憶させるためには５Ｍｂｐｓにしておかなければならない。一つの代替案として、この模範的な実施例は、これらの領域においてマルチレベルの鮮明さの強調を使用することでＨＤ「感」を生成することを提案する。
【００２２】
これを達成するために、フィーチャ処理システム２２内のマルチグリッドコーディングシステムを、四分木図の分解を使用することによって、エネルギのかなりの領域を識別及びコードするために利用することができる。結果としての領域分類ビットストリーム（即ち、エネルギ領域マップ）は、段階的なゲインマップを生成するためにデコーダ／再生システムによって使われるＥデータを形成する。前記コーディングシステムによれば、イメージのより重要な区域は識別され、ブロック又は領域に、より小さく分解される。該分割処理は四分木構造に従い、１及び０の列を作り出す。エネルギ領域マップを作り出すためのマルチレベルの領域分類アルゴリズムは、次のように実施化することができる。
【００２３】
ＨＦＩを１６×１６のブロックに分割する。次に、ブロック毎に総エネルギ（Ｅ、テクスチャテストのため）、及びブロック毎に最大ピクセル値の初めの３つにおける平均と最小ピクセル値の初めの３つにおける平均との差（Ｄ、エッジのテストのため）を計算する。
【００２４】
先ず、前記ＨＦＩにおける１２８×１２８のブロックに四分木分解を適用する。もし、１２８×１２８のブロック内の、いずれかの１６×１６のブロックにおいて、Ｅ＞しきい値１、又はＤ＞しきい値２であれば、前記１２８×１２８のブロックはビット「１」としてマークされ、次に４つの６４×６４のブロックに分けられ、さもなければ、前記ブロックは更に分割することなく「０」とマークされる。この分解は１６×１６のブロックに到達するまで継続する。
【００２５】
１６×１６のブロックを更に分類するために、しきい値を用いて全ての１６×１６のブロックをテストし、もしＥ又はＤが（しきい値＋定数）より大きければ、ブロックを「１」とマークし、さもなければ、ブロックを「０」とマークする。前記分解の「０」及び「１」の全て、並びにこの１６×１６のブロックのテストをＥデータとして記憶する。前記ＨＦＩにおけるエネルギのばらつきがどのように密であるかに依存して、Ｅデータにおいて異なるビットサイズが存在し得る。例えば、典型的な７２０×１２８０のＨＦＩは、１０００ビット未満を使って５つのレベルに分類することができる。これは、約３０Ｋｂｐｓ即ち０．０３Ｍｂｐｓであり、ＳＤ層の５Ｍｂｐｓに比べて非常に小さい。
【００２６】
上記アルゴリズムはＥデータを生成するためのシステムの一例に過ぎず、現在知られている又は後で開発される他の方法は本発明の範囲内であると理解されるべきである。
【００２７】
再生の間に、前記ＤＶＤにおけるビットストリームは、どのようなＤＶＤ準拠デコーダによってもＳＤ形式にデコードされることができる。更に、ＨＤ可能化デコーダのために、Ｅデータ（例えば、ユーザデータとして記憶された）が取り出され、後処理され、ＨＤ「感」でＨＤ対応テレビ上に表示することができるイメージを作り出すために通常ＳＤの上方変換された画像と結合される。
【００２８】
上述された四分木アルゴリズムによれば、後処理する間に四分木は再構成され、段階的ゲインマップを作り出すために、ゲインが各レベルに割り当てられる。従って、例えば、四分木に従って、異なるゲインが異なるブロックサイズ、又は区分領域に割り当てられる。エンハンスメントゲインの異なるレベルによって、もし鮮明度エンハンスメントアルゴリズムが適応されればＨＤ「感」が作られるであろう。
【００２９】
具体的には、Ｅデータの四分木のビットストリームをデコードすることで、区分領域は再構成される。更に、各領域には当該領域のサイズに大きく基づいた値を割り当てられる。従って、例えば、１２８×１２８のブロック領域は０．５が割り当てられ、６４×６４のブロック領域には０．７が割り当てられ、３２×３２のブロック領域には０．８が割り当てられ、１６×１６のブロック領域には０．９又は１．０のどちらかが割り当てられる。結果は、上方変換されたＳＤ画像におけるＨＤ効果を復元するために再生システム（図２）によって使用され得るゲインマップを与える。
【００３０】
いかなるタイプのエンハンスメント方法も、Ｅデータから再構成されたゲインマップと一緒に使用することができる。模範的な方法は適応型ピーキング及び／又はＬＴＩ（輝度過渡改良）を含む。
【００３１】
さて、図２を参照すると、ＤＶＤ２４に記憶されたイメージデータを再生するための再生システム３０が示されている。再生システム３０は、６０ｉプログレッシブ又は６０ｉ信号のどちらかを生成するためのＭＰＥＧデコーダ３２、及び３０ｐ又は６０ｐ信号のどちらかを生成するためのデインターレーサ３４を有する。上方変換及び後処理システム３６は、ＨＤ３０ｐ又はＨＤ６０ｐ信号を生成するために、Ｅデータと同様に３０ｐ又は６０ｐ信号のどちらかを受け取る。次いで、フレームレートダブラ又はインターレーサシステム３８は、１０８０ｉ又は７２０＠６０ｐアウトプットのどちらかを生成する。
【００３２】
本明細書に記述されているシステム、機能、メカニズム、方法、及びモジュールは、ハードウェア、ソフトウェア、又はハードウェアとソフトウエェアの組み合わせにおいて実行されることができると理解される。これらは、本明細書に記述されている方法を実施することに構成されたいかなるタイプのコンピュータシステム、又は他の装置によっても、実施化することが可能である。ハードウェア及びソフトウェアの典型的な組み合わせは、コンピュータプログラムがロード又は実行された時に、本明細書に記述された方法を実行できるようにコンピュータシステムを制御する当該コンピュータプログラムを備えた、汎用コンピュータシステムとすることができる。他の例として、本発明の機能的作業の１以上を実行するための専門のハードウェアを含む特定用途コンピュータも利用することができる。
【００３３】
また、本発明は、コンピュータプログラムに埋め込むことができるものであって、前記コンピュータプログラムは、前記方法と機能の実行を可能にする全てのフィーチャを有しており、及び前記プログラムがロード又は実行された時にこれらの方法と機能を実行することができるプログラムである。本状況におけるコンピュータプログラム、ソフトウェアプログラム、プログラム製品、プログラム、又はソフトウェアは、どのような言語、プログラム、コード又は表記法における一群の命令のいかなる表現をも意味するものであって、直接的に、或いは、（a）別の言語、コード、若しくは表記法への変換、及び／又は、（ｂ）異なるマテリアル形式における再構成、のいずれか、又は双方の後で情報処理能力を持つシステムに特定の機能を実行させることを意図とする。
【００３４】
本発明の好ましい実施例についての前記説明は、図解及び説明の目的で述べられている。それらは徹底的であること、又は本発明を開示された正確な形式に制限するつもりのものではなく、上記教示内容に照らして、明らかに多くの変更及び変形が可能である。当業者にとっては明らかなそのような変更及び変形は、添付した請求項によって定義されているこの発明の範囲内に含まれるつもりである。
【図面の簡単な説明】
【００３５】
【図１】図１は本発明による記録システムを表す。
【図２】図２は本発明による再生システムを表す。
【図１】
2005514840.tif 000003
【図２】
2005514840.tif 000004
【国際調査報告】
2005514840.tif 000005
2005514840.tif 000006
2005514840.tif 000007